(57)【要約】【課題】見栄えが良く会葬御礼の品としての価値が高く、また、会葬御礼の品が一般の贈答用としても流用できて経済性に優れる挟着シートを提供する。【解決手段】同じ大きの略直角三角形をなす上側シート３ａ及び下側シート３ｂを重ね合わせると共にその最も長い一辺ａ間を開口５し他の二辺ｂ，ｃをそれぞれ接着して成形される袋状シート部１と、前記下側シート３ｂの裏面にこの裏面に設けられた接着剤層６を介して貼着される剥離紙２とからなり、前記上側シート３ａは透視可能な素材により成形されると共に、前記接着剤層６は前記袋状シート部１を被接着面に貼着しても該袋状シート部１を該被接着面から容易に剥がすことができる程度にその接着力が設定されている。【選択図】図１
2005218650.tif 000002
【特許請求の範囲】
【請求項１】
同じ大きの略直角三角形をなす上側シート及び下側シートを重ね合わせると共にその最も長い一辺間を開口し他の二辺をそれぞれ接着して成形される袋状シート部と、前記下側シートの裏面にこの裏面に設けられた接着剤層を介して貼着される剥離紙とからなり、前記上側シートは透視可能な素材により成形されると共に、前記接着剤層は前記袋状シート部を被接着面に貼着しても該袋状シート部を該被接着面から容易に剥がすことができる程度にその接着力が設定されていることを特徴とする挟着シート。
【発明の詳細な説明】
【技術分野】
【０００１】
本発明は、通夜または告別式に参列した人々にそのお礼として手渡される会葬御礼品に貼着され、会葬御礼の挨拶状またはお清め塩を挟んでおくための挟着シートに関するものである。
【背景技術】
【０００２】
従来、通夜または告別式に参列した人々には、会葬後にそのお礼として喪主から会葬御礼品が手渡される。この会葬御礼品は、例えば厚紙からなる一枚のシートの上下辺を少し内側に折り返し、更に左方に小幅の折り返し部を残して２つ折りに折畳む。また、表側の折り返し部の先端を小幅に折り返した部分に差し込んでケース本体を作り、中にハンカチ等の小物を収納すると共に前記小幅に折り返した部分には挨拶状のはがき及びお清め塩を挟み込むようにしている（例えば、特許文献１参照。）。
【特許文献１】実開平６−１５５８６号公報（第２頁、図１）
【発明の開示】
【発明が解決しようとする課題】
【０００３】
しかしながら、前記会葬御礼品にあっては、小幅の折り返した部分が不透明であることから、その部分に挟み込んだ挨拶状のはがき及びお清め塩の一部が隠れることになって見栄えが悪く、会葬御礼の品としての価値が下がってしまう。また、会葬者に手渡した後に余って残った会葬御礼品は元の業者に引き取られることになる。ところが、会葬御礼品には小幅に折り返した部分が成形されたままとなるので、前記挨拶状のはがきやお清め塩を外しても外観上特定の用途に使用したことが解ってしまう。このため、元の業者にあっては、前記品が一般の贈答用品としては相応しくなく他に流用することが難しいことから経済性に劣るという課題があった。
【０００４】
そこで、本発明は上記課題を解決すべくなされたもので、挨拶状のはがき及びお清め塩の全体を見ることができて見栄えが良く会葬御礼の品としての価値が高く、また、会葬御礼品として使用した品が一般の贈答用としても流用できて経済性に優れるようにした挟着シートを提供することを目的とするものである。
【課題を解決するための手段】
【０００５】
かかる目的を達成するため、本発明に係る挟着シートは、同じ大きの略直角三角形をなす上側シート及び下側シートを重ね合わせると共にその最も長い一辺間を開口し他の二辺をそれぞれ接着して成形される袋状シート部と、前記下側シートの裏面にこの裏面に設けられた接着剤層を介して貼着される剥離紙とからなり、前記上側シートは透視可能な素材により成形されると共に、前記接着剤層は前記袋状シート部を被接着面に貼着しても該袋状シート部を該被接着面から容易に剥がすことができる程度にその接着力が設定された構成からなる。
【発明の効果】
【０００６】
本発明に係る挟着シートは、上側シートが透視可能であるから、そこに挟み込まれる挨拶状のはがき及びお清め塩の全体を見られることとなり見栄えが良く、会葬御礼の品としての価値が高い。また、袋状シート部を剥がすことにより会葬御礼の品が一般の贈答用の品と変わりなく使用できることから、ある品が本来できない他にも流用することができることとなり経済性に優れるという効果を奏する。
【発明を実施するための最良の形態】
【０００７】
以下、本発明に係る挟着シートの実施の形態を図面に基づき説明する。図１は挟着シートの斜視図、図２は挟着シートを貼着した包装箱の斜視図である。図中、Ａは本発明に係る挟着シートであり、袋状シート部１と剥離紙２からなる。
【０００８】
袋状シート部１は、透視可能すなわち透明な合成樹脂フィルムからなり、同じ大きの直角三角形をなす上側シート３ａ及び下側シート３ｂを同じ向きで重ね合わせ、その内、最も長い一辺ａ，ａ間が開口５され、他の直交する二辺ｂ，ｂとｃ，ｃはそれぞれ熱融着等の接着手段により接着されている。
【０００９】
前記二辺ｂ，ｃの寸法は、それらが丁度官製はがきの縦・横寸法と同じ寸法になるように設定される。これにより、前記袋状シート部１内には後記するように開口５を介して会葬御礼の挨拶状であるはがきＴが半分覆われた状態で収納されることになる。しかも、収納された状態では前記挨拶状のはがきＴはしっかりと固定され簡単に抜け落ちるといったことが無い。前記下側シート３ｂの裏面には接着剤層６が設けられている。
【００１０】
前記剥離紙２は、下側シート３ｂの裏面に接着剤層６を介して貼着される。この剥離紙２は前記上・下側シート３ａ，３ｂと同じ形状に成形され、途中に一辺ｃと平行な切離し線７が入って二分されている。これは、該切離し線７で剥離紙２を折り曲げることにより、下側シート３ｂから剥離紙２が剥がれ易く作業性が向上するからである。
【００１１】
前記下側シート３ｂ裏面の接着剤層６は、強い接着力を有するものではなく、袋状シート部１を後記する会葬御礼品として使用される厚紙製の包装箱Ｈの表面ｈのような被接着面に貼着した場合、その後、該袋状シート部１を容易に剥がすことができる程度の接着力を有するように設定されている。これにより、前記袋状シート部１は被接着面に対して剥離可能に設けられることになる。
【００１２】
本発明に係る挟着シートＡは上記構成からなり、下側シート３ｂ裏面から剥離紙２を剥がし、図２に示すように接着剤層６を裏側にして各直交する他の辺ｂ，ｃを隣合う各側縁に合致させるようにして袋状シート部１を包装箱Ｈの表面ｈに貼着する。これにより、内側の一辺ａが斜めに開口５した状態で袋状シート部１が包装箱Ｈの表面ｈに貼着して取り付けられる。図示は省略するが、包装箱Ｈ内には例えばハンカチ、タオル、手袋、靴下、ネクタイといった小物が収納される。
【００１３】
そして、図３に示すように前記開口５を介して袋状シート部１内に官製はがき大の挨拶状であるはがきＴを差し込むと共にお清め塩Ｋを差し込む。これまでの作業は、通常、特定の業者が行い、挨拶状のはがきＴと共にお清め塩Ｋを収納した会葬御礼品である包装箱Ｈが業者から喪主へ間接的に引き渡されることになる。そして、会葬後に喪主から会葬者に手渡される。この際、袋状シート部１の上側シート３ａが透明な合成樹脂フィルムにより成形されているので、そこに挟み込まれる挨拶状のはがきＴ及びお清め塩Ｋの全体が見られることとなり見栄えが良く、会葬御礼の品としての価値が高い。
【００１４】
また、会葬者に手渡した後に余って残った袋状シート部１付きの包装箱Ｈは、前記業者に引き取られるが、前記袋状シート部１は包装箱Ｈの表面ｈから容易に剥がすことができ、また、袋状シート部１を剥がした後の包装箱Ｈは外観上新しい未使用な包装箱と同じように綺麗である。そこで、業者では、残った包装箱Ｈから袋状シート部１を剥がし、小物の入った包装箱Ｈをそのまま通常の贈答用の包装箱として使用できることになる。よって、一般の贈答用としても流用できて経済性に優れる。
【００１５】
一方、受け取った会葬者側では、同じく前記袋状シート部１を包装箱Ｈの表面ｈから容易に剥がすことができることから、中から小物を取り出し不要になった包装箱Ｈをゴミ箱などに廃棄する場合、包装箱Ｈが紙製であるのに対し袋状シート部１が合成樹脂材であることから分別がし易いという利点がある。
【００１６】
本発明の袋状シート部１は直角三角形をなしているが、その内、一番長い一辺ａが下方または上方へ弧状に湾曲していても良く、この場合も略直角三角形に含まれる。また、下側シート３ｂを上側シート３ａと同じく透明な合成樹脂フィルムにより成形したが、この下側シート３ｂを不透明な素材により成形するようにしても良い。また、この場合、その表面は余白となり、しかも上側シート３ａが透視可能であることから、例えば、前記下側シート３ｂの表面に「本日は有難うございました」といった会葬者に対する御礼文を印刷するようにしても良い。
【図面の簡単な説明】
【００１７】
【図１】本発明に係る挟着シートの斜視図。
【図２】挟着シートを貼着した包装箱の斜視図。
【図３】挟着シートの使用状態を示す包装箱の斜視図。
【符号の説明】
【００１８】
１        袋状シート部
２        剥離紙
３ａ      上側シート
３ｂ      下側シート
５        開口
６        接着剤層
Ａ        挟着シート
ａ        一辺
ｂ        他辺
ｃ        他辺
【図１】
2005218650.tif 000003
【図２】
2005218650.tif 000004
【図３】
2005218650.tif 000005